(57)【特許請求の範囲】
【請求項１】
キーガイドを有する電子機器の本体に、その機器本体の正面部を覆うようにして取り付けられる中空の蓋を着脱可能に装着するものであって、機器本体正面に突出するキーガイド及び、蓋の正面に開口し、キーガイドと嵌合する丸穴である受け部を有する支承手段と、この支承手段に関し対称的に配設され、支承手段を中心とする蓋の機器本体に対する相対回動により係脱される複数の係合手段と、ばねで係止方向に付勢され、蓋の内側及び蓋に覆われる機器本体側の一方に装着されたラッチ片及び蓋の内側及び蓋に覆われる機器本体の他方に装着され、そのラッチ片が係脱される掛け片からなり、蓋の回動操作により自動的に係止され、蓋に設けた差込み孔から差込まれる工具等によって係止が解除される錠止手段とを備えたことを特徴とする電子機器の蓋の取付装置。
【発明の詳細な説明】
【０００１】
【発明の属する技術分野】
この発明は、キー情報読取装置その他の電子機器の蓋の取付装置に関する。
【０００２】
【従来の技術】
集合住宅の共通玄関等に備えられるキー情報読取装置の蓋は、装置本体（機器本体）に取り付ける際に、普通のネジで取り付けると、いたずらや侵入の目的でドライバーを使って簡単に取り外されてしまうことがある。
【０００３】
そのため、従来の電子機器の蓋の取付装置としては、例えば、電子機器の本体とその機器本体の正面部を覆うようにして取り付けられる中空で皿形の蓋との間に、蓋及び機器本体の対向部分にそれぞれ設けたＬ字状突片の組から成る係脱可能な係合手段と、ばねで係止方向に付勢されたラッチ片及びそのラッチ片が係脱される掛け片からなる錠止手段とを備えたものが用いられている。
【０００４】
この従来の装置によれば、蓋を装着する際は、先ず、上方部に設けられた係合手段で蓋を機器本体に対し掛け吊した後、蓋の下方部を手で押すことにより下方部に設けられた錠止手段を自動的に係止させる。
【０００５】
また、蓋を取り外す際は、蓋に設けた差込み孔から差し込んだ棒状の工具等により錠止手段におけるラッチ片をばねに抗して押し込み、掛け片との係止を解除させた後、蓋を上方に向け持ち上げれば、係合手段も外れるので、蓋は機器本体から取り外すことができる。
【０００６】
ところが、前記のような従来の蓋の取付装置では、取付け時において蓋を機器本体にあてがう際、正確な上下左右の位置は感触だけで探り出さなければならないので、装着作業がかなり難しい。
【０００７】
また、機器本体に蓋の貫通孔を通じて外部へ突出させるようなキーガイド、押釦その他の突出部材が存在すると、蓋の装着作業は一層面倒になる、などの問題がある。
【０００８】
【発明が解決しようとする課題】
この発明に係る電子機器の蓋の取付装置は、機器本体に対し取付面とほぼ平行な面で蓋を回動操作することにより、スムーズにして確実に蓋を装着できるようにすることを目的として提案されたものである。
【０００９】
【課題を解決するための手段】
上記の目的を達成するため、この発明は、キーガイドを有する電子機器の本体に、その機器本体の正面部を覆うようにして取り付けられる中空の蓋を着脱可能に装着するものであって、機器本体正面に突出するキーガイド及び、蓋の正面に開口し、キーガイドと嵌合する丸穴である受け部を有する支承手段と、この支承手段に関し対称的に配設され、支承手段を中心とする蓋の機器本体に対する相対回動により係脱される複数の係合手段と、ばねで係止方向に付勢され、蓋の内側及び蓋に覆われる機器本体側の一方に装着されたラッチ片及び蓋の内側及び蓋に覆われる機器本体の他方に装着され、そのラッチ片が係脱される掛け片からなり、蓋の回動操作により自動的に係止され、蓋に設けた差込み孔から差込まれる工具等によって係止が解除される錠止手段とを備えたことを特徴とする。
【００１０】
【発明の実施の形態】
以下、図面に示す実施例に基いてこの発明について説明する。
図１〜図４において、符号１０は取付壁その他の取付面、２０は後記の機器本体１の一部を嵌め込む掘込み穴、１はキー情報読取装置として表された電子機器の本体、１１は箱体、１２は箱体１１に固定された中蓋、１３は中蓋１２と一体のフランジ部、１４は前端部が後述の蓋２から突出させてあるキーガイド、すなわちキー情報読取装置の一つの部品、１５は前端部が中蓋１２から蓋２内に突出させてある表示器、すなわちキー情報読取装置の他の部品、１６は表示器１５に設けた発光素子をそれぞれ示す。
【００１１】
また、符号２は正面形が例えば正方形状をなす中空にして皿形の蓋で、蓋２はそれが機器本体１に装着されたとき機器本体１の全てが隠れるように周辺部２２が垂下されている。
【００１２】
蓋２の正面部２１には、前記のキーガイド１４の前端の円筒部１４ａが嵌め込まれる丸穴２３、前記の表示器１５内の発光素子１６のための透光用小窓２４、及びキーの操作者に対する指示用表示２５等が設けられている。符号２６は蓋２の裏面側に固着された半透明板を示す。
【００１３】
上述した電子機器の本体１及び蓋２の構成は従来周知である。この発明は、壁などの取付面１０にねじ９１等で固定される電子機器本体１と蓋２とを着脱可能に装着する蓋の取付け装置に係る。
【００１４】
蓋２及び機器本体１の正面形は正方形状に限らない。それらの正面形は長方形状、丸形、長円形状など任意である。
【００１５】
また、機器本体１が扁平である場合は取付面１０に対し掘込み穴２０を設けなくてもよいことは勿論である。
【００１６】
機器本体１とその本体１の正面部を覆うようにして取り付けられる中空の蓋２との間には、機器本体１の取付面１０と直角をなす方向の軸部３１及びその軸部３１を取り外し可能に支承する受け部３２から成る支承手段３を設ける。
【００１７】
図示例の支承手段３は、軸部３１としてキーガイド１４の前端の円筒部１４ａを利用すると共に、受け部３２として蓋２の正面部の丸穴２３を利用している。
【００１８】
機器本体１のフランジ部１３と蓋２との背面との間には、更に、蓋２の手による前記のような回動操作で係脱される係合手段４を少くも２個設ける。
【００１９】
実施例の取付装置においては、係合手段４は、機器本体１並びに蓋２の周辺部に適当間隔を隔てて３個設けてある。すなわち、第１係合手段４ａ、第２係合手段４ｂ及び第３係合手段４ｃの３個である。
【００２０】
各係合手段４は、いずれも機器本体１側のＬ字状受け片４１と蓋２側のＬ字状突片４２との組で成る。
【００２１】
図示例のＬ字状の各受け片４１は、図２及び図４〜図６に明示するように、機器本体１のフランジ部１３の一部を切り起こして設けてある。
【００２２】
また、Ｌ字状の各突片４２は、図２、図３、図５、及び図６に明示するように、蓋２の背面（内面）にねじ９２等で固設した適当数（図では２個）の取付基板５の一部を切り起こして形成してある。
【００２３】
図５は第１係合手段４ａを示し、図６は第３係合手段４ｃを示す。第２係合手段４ｂは第１係合手段４ａとほぼ同様な構造である。
【００２４】
各係合手段４ａ、４ｂ又は４ｃを構成する一対（１組）のＬ字状の受け片４１と突片４２は、蓋２が嵌め外し位置（図２の鎖線の位置）にある時はやや離れて対向状態にあり、蓋２が装着位置（図１の実線の位置）に至った時は互に係合して蓋２が機器本体１から取付面１０と直角方向に離脱せんとすることを阻止する。
【００２５】
なお、各係合手段４の受け片４１及び突片４２の設ける箇所を図示例とはそれぞれ逆にして、受け片４１を蓋２側の取付基板５に、また、突片４２を機器本体１側のフランジ部１３に設けてもよいことは言うまでもない。
【００２６】
更に加えて、機器本体１のフランジ部１３と蓋２の取付基板５との間には、ねじりばねその他の任意形式のばね６３で係止方向に付勢させたラッチ片６１及びそのラッチ片６１が選択的に係脱される掛け片６２から成る錠止手段を備える。
【００２７】
図示例のラッチ片６１は、図１及び図３に明示するように、蓋２の取付基板５から機器本体１側に向け突設した軸６４に枢着してあり、掛け片６２は、図１及び図４に明示するように、機器本体１のフランジ部１３の一部を切り起こして形成してある。
【００２８】
但し、図示例のものとは逆に、ラッチ片６１、ばね６３及び軸６４を機器本体１側に、掛け片６２を蓋２側に設けることもできる。
【００２９】
また、図示例のラッチ片６１は軸６４で枢着した回動型のものであるが、そのラッチ片は適当な案内枠内で直線的に変位できる摺動型のもので代替させることもできる。
【００３０】
前記の錠止手段６は、蓋２の嵌め外し位置から装着位置への回動操作によりばね６３の付勢力を利して自動的に係止（錠止）される。
【００３１】
蓋２を取り外す際には、蓋２の周辺部２２に設けられ差込み孔２７から差し込まれる棒状の工具等（図示しない）によって、ラッチ片６１をばね６３の付勢力に抗して押して掛け片６２との係止から解除する。
【００３２】
図示例の錠止手段６は、蓋２が機器本体１に対し装着されている時は、ラッチ片６１が掛け片６２に係止されて少くも図１で鎖線方向への回動を阻止する。
【００３３】
ラッチ片６１が掛け片６２から工具等によって外されると、蓋２の機器本体１に対する嵌め外し位置への回動が許容される。
【００３４】
なお、図示例の錠止手段６における棒状の短片として形成された掛け片６２を先端を折り曲げたＬ字状ものとすると、ラッチ片６１と相俟って上述の係合手段４を兼ねる作用を呈する。
【００３５】
蓋２がかなり小形の場合は、錠止手段６の掛け片６２を前記のようにＬ字状とすれば、該錠止手段６は係合手段４をも兼ねるので、第１の係合手段４ａのみを残し、他の係合手段４ｂ、４ｃは省略することもできる。
【００３６】
当然のことながら、蓋２の取付け強度を大きくしたい場合には、係合手段４の数は多くした方がよい。
【００３７】
図２及び図４において、符号７は中央に機器本体１の箱体１１の貫通穴を有し、正面形を蓋２のそれと同形に形成した座板で、取付面１０とフランジ部１３との間に挾持させて固定させてある。
【００３８】
この座板７は、蓋板２の周辺部２２を取付面１０に向け押し付けて回動させる時、摩擦を減じて円滑に回動できるようにするために介在させたものである。
【００３９】
また、図４の符号１７は、フランジ部１３の切除部で、蓋２を嵌め外し位置に置いた時の逃げの役割を果たす。
【００４０】
【作用】
上述の構成のこの発明に係る蓋の取付け装置において、取付面１０に固定された機器本体１に対し蓋２を装着するには、図１に示すように、蓋２を鎖線で示す嵌め外し位置に当接させるようにして、支承手段３における軸部３１と受け部３２とを嵌め合わせる。
【００４１】
次いで、中心軸線ｍを基準として蓋２を手で例えば右回りに回動させると、係合手段４及び錠止手段６はいずれも自動的に係合又は係止状態となり、蓋２は機器本体１に対し確実に装着されることになる。
【００４２】
他方、蓋２を取り外すには、蓋２の差込み孔２７から工具等を差し込んで錠止手段６による回動方向の係止を解除した後、蓋２を嵌め外し位置へ向け左回りに回動操作すればよい。
【００４３】
その回動操作により、係合手段４の係合状態が自動的に解かれるので、蓋２は機器本体１から取り外せることになる。
【００４４】
【発明の効果】
以上に説明したこの発明の電子機器の蓋の取付け装置によれば、蓋の機器本体に対する取付け時に、蓋の押付け操作並びに蓋の回動操作はいずれも支承手段における軸部と受け部との嵌め合わせ部分を基準として行えばよいので、それら操作はスムーズに行えるばかりでなく、蓋の機器本体に対する係着は極めて確実なものとなるなどの効果を奏する。
【図面の簡単な説明】
【図１】  この発明の実施例を示す正面図。
【図２】  その部分縦断側面図。
【図３】  図１の実施例から取り外した蓋の背面図。
【図４】  図１の実施例から蓋を取り外して示す機器本体側の正面図。
【図５】  図１のＶ−Ｖ線から見た第１係合手段の矢視図。
【図６】  図１のＶＩ−ＶＩ線から見た第３係合手段の矢視図。
【符号の説明】
１０  取付面
１  機器本体
２  蓋
２７  差込み孔
３  支承手段
３１  軸部
３２  受け部
４  係合手段
６  錠止手段
６１  ラッチ片
６２  掛け片
６３  ばね
【図１】
0003761102.tif 000002
【図２】
0003761102.tif 000003
【図３】
0003761102.tif 000004
【図４】
0003761102.tif 000005
【図５】
0003761102.tif 000006
【図６】
0003761102.tif 000007